(57)【要約】      （修正有）【課題】データロガーを制御し、通信手段を介して制御信号を送信する携帯型検針機を用いて、人の手による検針作業コストを節減し、且つ誤記録なく水道や電気またはガスメータのメータの読取値を得ることができる検針システムを提供する。【解決手段】携帯型検針機１１が通信手段を介してデータロガー１０に制御信号を送信する携帯型検針機１１と、前記データロガー１０に接続されたユーザ側のメータ１２とで検針システムを構成し、ユーザ側でメータ１２の読取値を得ることができるようにする。【選択図】図１
0003146844.tif 000002
【実用新案登録請求の範囲】
【請求項１】
読取機と複数のダイヤルとを含んだ検針システムであって、該検針システムの読取機は、プロセッサチップに電気的に接続されてメータの識別子を格納すると共に、前記プロセッサチップによりメータのダイヤルの位置を識別してメータの読取値を決定し、読取値と識別子をプロセッサチップに伝送するように構成した少なくとも一つのメータと、前記読取機の読取値と識別子を得るために前記プロセッサチップを制御するよう有線または無線通信方式で前記メータのプロセッサチップに接続されるデータロガーと、該データロガーで前記メータの読取値と識別子を得るために制御信号をデータロガーに送信するように通信手段を介してデータロガーに接続された携帯型検針機とを備えて構成したことを特徴とする、検針システム。
【請求項２】
前記メータのダイヤルは、第一の側面上に発光管と第二の側面上に受信管とを含み、前記発光管がダイヤルの一面を照射するようにして、ダイヤルの互いに異なる位置に遮光および光を伝達する機能を有し、前記受信管が明暗信号を受信することで、前記メータの読取値を計測するためにメータのダイヤルの位置を識別するべく、前記明暗信号を前記プロセッサチップに伝送するよう構成したことを特徴とする、請求項１に記載の検針システム。
【請求項３】
前記携帯型検針機が、前記データロガーで前記メータの読取値と識別子を得るために、マイクロ波による伝送通信手段を介して制御信号をデータロガーに送信するよう構成したことを特徴とする、請求項１に記載の検針システム。
【請求項４】
前記携帯型検針機が、前記データロガーに接続された前記メータの読取値と識別子を得るために短文メッセージ通信手段を介して制御信号をデータロガーに送信するよう構成したことを特徴とする、請求項１に記載の検針システム。
【請求項５】
前記携帯型検針機により得た前記メータの読取値と識別子を、ＷＬＡＮ、ＷｉＦｉ、３ＧまたはＡＤＳＬを介してコントロールセンターに伝送するようにしたことを特徴とする、請求項１に記載の検針システム。
【請求項６】
前記メータが水道メータであることを特徴とする、請求項１に記載の検針システム。
【請求項７】
前記メータが電気メータであることを特徴とする、請求項１に記載の検針システム。
【請求項８】
前記メータがガスメータであることを特徴とする、請求項１に記載の検針システム。
【請求項９】
読取機と複数のダイヤルとを含んだ検針システムであって、検針システムの読取機は、メータの識別子を格納し、前記メータのダイヤルの位置を識別してメータの読取値を計測する少なくとも一つのメータと、プロセッサチップを有し、前記読取機の読取値を得るために有線または無線通信方式でプロセッサチップを制御し、前記メータの読取値と識別子を前記プロセッサチップに返送するデータロガーと、該データロガーで前記メータの読取値と識別子を得るために制御信号をデータロガーに送信するように通信手段を介してデータロガーに接続された携帯型検針機とを備えて構成したことを特徴とする検針システム。
【請求項１０】
前記メータのダイヤルは、第一の側面上に発光管と、第二の側面上に受信管とを含み、前記発光管がダイヤルの一面を照射するようにして、ダイヤルの互いに異なる位置に遮光および光を伝達する機能を有し、前記受信管が明暗信号を受信することで、前記メータの読取値を計測するためにメータのダイヤルの位置を識別するべく、前記明暗信号を前記プロセッサチップに伝送するよう構成したことを特徴とする、請求項９に記載の検針システム。
【請求項１１】
前記携帯型検針機が、前記データロガーで前記メータの読取値と識別子を得るためにマイクロ波による伝送通信手段を介して制御信号をデータロガーに送信するよう構成したことを特徴とする、請求項９に記載の検針システム。
【請求項１２】
前記携帯型検針機が、前記データロガーに接続された前記メータの読取値と識別子を得るために短文メッセージ通信手段を介して制御信号をデータロガーに送信するよう構成したことを特徴とする、請求項９に記載の検針システム。
【請求項１３】
前記携帯型検針機により得た前記メータの読取値と識別子を、ＷＬＡＮ、ＷｉＦｉ、３ＧまたはＡＤＳＬを介してコントロールセンターに伝送するようにしたことを特徴とする、請求項９に記載の検針システム。
【請求項１４】
前記メータが水道メータであることを特徴とする、請求項９に記載の検針システム。
【請求項１５】
前記メータが電気メータであることを特徴とする、請求項９に記載の検針システム。
【請求項１６】
前記メータがガスメータであることを特徴とする、請求項９に記載の検針システム。
【考案の詳細な説明】
【技術分野】
【０００１】
本考案は検針システムに関し、より詳しくは、水道メータや電気メータ、またはガスメータを読み取るシステムに関する。
【背景技術】
【０００２】
従来、水道や電気、またはガスなどの公共設備は、通常においてパイプと導管を介して家庭に連結されており、メータは、水道や電気、またはガスの使用量を計測するために家庭に設けられている。さらに、水道や電気、またはガスを扱う会社は、検針員を家庭に派遣して、水道や電気、またはガスのメータの読取値を定期的に記録し、使用料金を需要者に請求するのが通常となっている。
【０００３】
ところで、人の手で検針を行うと、記録ミスにより検針の誤りが生じる場合がある。また、検針作業にかかる時間とコストを考えると、検針のために遠く離れた地域まで検針員を出向かせるのは経済的ではない。
【考案の開示】
【考案が解決しようとする課題】
【０００４】
このような問題を解決するために、本考案は、検針システムに連結されたメータの読取値を得るためにデータロガーを制御し、通信手段を介して制御信号を送信する携帯型検針機を用いた検針システムを提供する。
【課題を解決するための手段】
【０００５】
本考案は、データロガーと、携帯型検針機と、複数のメータとを備える検針システムである。すなわち、該検針システムの各メータは、読取機を含み、プロセッサチップに電気的に接続されている。前記読取機は、対応するメータの識別子を格納し、前記メータは、有線伝送線路または無線伝送プロトコルを介してデータロガーに接続されている。前記システムの各メータの読取値を得ようとする場合、前記携帯型検針機は、マイクロ波による伝送または短文メッセージを送信することによってデータロガーに電気的に接続されたプロセッサチップに制御信号を送信する。前記プロセッサチップにより、読取機は、メータの読取値を計測して前記読取値と識別子をプロセッサチップに返送するよう前記メータの各ダイヤルの位置を識別することができる。前記プロセッサチップは、携帯型検針機にデータロガーを介して各メータの読取値と識別子を送信して検針動作を完了する。
【０００６】
前記プロセッサチップはデータロガー内に埋め込むことができ、前記データロガーは前記プロセッサチップを制御し、有線伝送線路または無線伝送プロトコルを介してメータに接続される。このようにして、前記プロセッサチップにより、読取機はメータの各ダイヤルの位置を識別することができる。メータの読取値を決定した後、読取機は、有線伝送線路または無線伝送プロトコルを介して前記読取値と識別子をデータロガーのプロセッサチップに送信し、その後、携帯型検針機に転送して検針動作を完了する。
【０００７】
本考案で開示された検針システムは、携帯型検針機によって送信された制御信号を介して前記システムの複数のメータの読取値を同時に読み取ることができる。これにより、従来の読取値の誤記録を改善し、且つ人の手による検針作業にかかるコストを節減することができる。
【考案の効果】
【０００８】
本考案で開示された検針システムは、以下の効果を有する：
１．水道メータ、電気メータ、およびガスメータに適用可能な広い応用範囲を持つ。
２．携帯型検針機は、短時間でシステムの各メータの読み取りを可能にし、その結果、検針作業にかかる時間とコストを節減することができる。
３．メータは光電子動作で読み取られる。検針機は、作動時にのみ荷電起動した状態となるので、実用的、かつ、より少ない電気を消費する。
４．携帯型検針機が読み取りを終えた後、システム運用の追加解析のために記録システムでの各メータの読取値を、ＷＬＡＮ、ＷｉＦｉ、３ＧまたはＡＤＳＬを介して中央制御サーバを有するコントロールセンターに中継することができる。
【考案を実施するための最良の形態】
【０００９】
以下、添付図面を参照して本考案の実施形態について詳細に説明する。
図１は、本考案の第１の実施形態による検針システムの概要図である。図１に示すように、本考案の第１の実施形態による検針システムは、データロガー１０と、携帯型検針機１１と、複数のメータ１２とを備える。
【００１０】
前記システムの各メータ１２は読取機を含み、前記読取機は、各メータ１２に対応する識別子を格納する。各メータ１２は、プロセッサチップに電気的に接続され、ＲＳ４８５伝送線路を介してデータロガー１０に電気的に接続される。
【００１１】
図２Ａと図２Ｂは、本考案に係る検針システムのメータの機械的構造を示す図である。図１に示すように、携帯型検針機１１は、実際のニーズに応じて、以下で説明するステップにおいてマイクロ波による伝送または短文メッセージ通信手段を介して前記システム内の各メータ１２の現在の読取値を得ることができる。
【００１２】
前記システムの各メータ１２の読取値を得ようとする場合、ユーザは、携帯型検針機１１とデータロガー１０間の通信手段を介してデータロガー１０に制御信号を送出するように携帯型検針機１１を操作することができる。前記データロガー１０は、メータ１２に電気的に接続されているプロセッサチップを制御する。前記プロセッサチップにより、読取機は、ダイヤル１２０の一側に配置された発光管１２１によって照射された各メータ１２のダイヤル１２０面を読み取ることができる。各メータ１２のダイヤル１２０の位置が異なっているため、各ダイヤルは対応するコードチャンネルを有し、それによって遮光および光を伝達する機能を有するようになる。このように、メータ１２のダイヤル１２０の他側の受信管１２２は１組の明暗信号を受信し、明暗信号が各メータ１２のプロセッサチップによってさらに処理・分析され、メータ１２のダイヤル１２０の現在の位置が決定される。その結果、メータ１２の現在の読取値を得る。
【００１３】
前記メータ１２のプロセッサチップによって分析された各メータ１２の読取値とその識別子は、その後、ＲＳ４８５伝送線路を介してデータロガー１０に返送される。
【００１４】
前記データロガー１０は、前記データロガーに接続された各メータ１２の読取値と識別子を受信した後、ピアツーピア通信方式を介して携帯型検針機１１に情報を転送して検針の記録作業を完了する。
【００１５】
図３は、本考案の第２の実施形態による検針システムの概要図である。図３に示すように、本考案の第２の実施形態による検針システムは、データロガー２０と、携帯型検針機２１と、複数のメータ２２とを備える。
【００１６】
前記システムの各メータ２２は読取機を含み、前記読取機は、各メータ２２に対応する識別子を格納する。各メータ２２は、無線伝送機能によってプロセッサチップに電気的に接続され、ＪＺ８６３無線伝送プロトコルを介してデータロガー２０に電気的に接続される。
【００１７】
図２Ａと図２Ｂは、本考案に係る検針システムのメータの機械的構造を示す図である。図３に示すように、各メータ２２は、ＪＺ８６３の無線伝送プロトコルを介してデータロガー２０に接続されており、携帯型検針機２１は、実際のニーズに応じて、以下で説明するステップにおいてマイクロ波による伝送または短いメッセージ通信手段を介して前記システム内の各メータ２２の現在の読取値を得ることができる。
【００１８】
前記システムの各メータ２２の読取値を得ようとする場合、ユーザは、携帯型検針機２１とデータロガー２０間の通信手段を介してデータロガー２０に制御信号を送出するように携帯型検針機２１を操作することができる。前記データロガー２０は、メータ２２に電気的に接続されるプロセッサチップを制御する。前記プロセッサチップにより、読取機は、ダイヤル１２０の一側に配置された発光管１２１によって照らされた各メータ２２のダイヤル１２０面を読み取ることができる。各メータ２２のダイヤル１２０の位置が異なっているため、各ダイヤルは対応するコードチャンネルを有し、それによって遮光と光を伝達する機能を有するようになる。このように、メータ２２のダイヤル１２０の他側の受信管１２２は１組の明暗信号を受信し、明暗信号が各メータ２２のプロセッサチップによってさらに処理・分析され、メータ２２のダイヤル１２０の現在の位置が決定される。その結果、メータ２２の現在の読取値を得る。
【００１９】
前記メータ２２のプロセッサチップによって分析された各メータ２２の読取値とその識別子は、その後、ＪＺ８６３無線伝送プロトコルを介してデータロガー２０に返送される。
【００２０】
前記データロガー２０は、前記データロガーに接続された各メータ２２の読取値と識別子を受信した後、ピアツーピア通信方式を介して携帯型検針機２１に情報を転送して検針の記録作業を完了する。
【００２１】
前記プロセッサチップはデータロガー内に埋め込むことができ、前記データロガーは前記プロセッサチップを制御し、有線伝送線路または無線伝送プロトコルを介してメータに接続される。このようにして、前記プロセッサチップにより、読取機はメータの各ダイヤルの位置を識別することができる。メータの読取値を決定した後、読取機は、有線伝送線路または無線伝送プロトコルを介して前記読取値と識別子をデータロガーのプロセッサチップに送信し、その後、携帯型検針機に転送して検針動作を完了する。携帯型検針機は、隣接地域に設けられたシステムでメータの読取値を得るために固定された位置に設けられる備え付けのメータ検針機で代用できる。
【００２２】
本考案の好適な実施形態について詳述したが、前記実施形態が本考案の範囲に限定されるものではなく、本考案の精神と添付の請求の範囲を逸脱しない範囲での様々な変形、変更および修正は、本考案の保護される精神と請求の範囲内に含まれる。
【図面の簡単な説明】
【００２３】
【図１】本考案の第１の実施形態による検針システムの概要図である。
【図２Ａ】本考案に係る検針システムのメータの機械的構造を示す図である。
【図２Ｂ】本考案に係る検針システムのメータの機械的構造を示す図である。
【図３】本考案の第２の実施形態による検針システムの概要図である。
【符号の説明】
【００２４】
１０、２０：データロガー
１１、２１：携帯型検針機
１２、２２：メータ
１２０：ダイヤル
１２１：発光管
１２２：受信管
【図１】
0003146844.tif 000003
【図２Ａ】
0003146844.tif 000004
【図２Ｂ】
0003146844.tif 000005
【図３】
0003146844.tif 000006